(57)【要約】 【課題】  ライター本体を縦に持って着火するだけでなく、ライター本体を横に持った状態でも安全な着火を可能にし、同時に操作ボタンにライター本体を洋服のポケットに保持するためのクリップとしての機能を持たせたガスライターを提供すること。【解決手段】  この発明のガスライターは、液化燃料ガスを貯蔵する燃料タンク４と、燃料ガスを噴出させる噴出ノズルと、ノズルの開閉を制御するバルブと、燃料ガスに着火する圧電装置と、バルブの開閉制御および前記圧電装置を作動させて火炎を発生させる操作ボタン２とを備えるライターにおいて、操作ボタン２の頂部21からガスライター本体１に沿って長手方向に延在するクリップ３を形成し、クリップ３により操作可能としたものである。【選択図】      図１
2006153401.tif 000002
【特許請求の範囲】
【請求項１】
液化燃料ガスを貯蔵する燃料タンクと、上記燃料ガスを噴出させる噴出ノズルと、上記ノズルの開閉を制御するバルブと、上記燃料ガスに着火する圧電装置と、上記バルブの開閉制御および上記圧電装置を作動させて火炎を発生させる操作ボタンとを備えるライターにおいて、
上記操作ボタンの頂部からライター本体に沿って長手方向に延在するクリップを形成し、上記クリップにより操作可能としたことを特徴とするガスライター
【請求項２】
クリップを操作ボタンの頂部から外側に延ばし本体に沿って長手方向に延在する縦断面形状を逆Ｌ字状としたことを特徴とする請求項１に記載のガスライター。
【請求項３】
クリップの端部を膨出させたことを特徴とする請求項１または２に記載のガスライター。
【請求項４】
クリップの端部表面に複数の凸条または溝条を形成したことを特徴とする請求項１または２に記載のガスライター。
【発明の詳細な説明】
【技術分野】
【０００１】
この発明は、ガスライターにおいて、着火の際に操作する操作ボタンにクリップを設けることにより、操作方向を垂直方向だけでなく、任意の姿勢にしても安全な着火を可能にし、ライター本体を洋服のポケットに保持できるように構成したガスライターに関する。
【背景技術】
【０００２】
通常、ガスライターは、たばこの点火専用として用いられ、ライター本体を垂直方向にして手に持ち、親指で操作ボタンを下向きに押下げて着火するものである。
【０００３】
また、携帯に便利なように軽量化、小型化のために燃料タンクやケース等は合成樹脂で成型され、燃料タンクは一定時間の着火に必要な容積があればよく、燃料消耗後のガスライターは使い捨てとされている。
【０００４】
下記特許文献１、２に開示されているように、ライター本体は比較的小さな物であるので、洋服のポケットや鞄の中で他の物と紛れないように、本体にクリップを取り付け、洋服のポケットや鞄の中でクリップ止めして保持するライターが従来より提案されている。
【特許文献１】実用新案登録第３０９３５８４号公報
【特許文献２】特開平１０−３０８２０号公報
【発明の開示】
【発明が解決しようとする課題】
【０００５】
しかし、従来のガスライターにおいては、着火の際にはライター本体を垂直方向にして手に持ち、親指で操作ボタンを下向きに押下げて着火するように構成されているので、主としてたばこを着火するための用途に限られており、下側から着火できない物を着火する際には、被着火物を横にして持つか、ライター本体を横向きに持って着火操作を行う必要があり、着火しにくく火傷の危険性があった。
【０００６】
一方、本体にクリップを取り付けたライターは、洋服のポケットに引っ掛けて保持できるが、クリップ自体は保持部材としての機能しかなく、あえて取り付ける必要性が感じられなかった。
【０００７】
そこで、この発明は、操作ボタンを工夫することにより、ガスライター本体を垂直方向に持って着火するだけでなく、ガスライター本体を任意の姿勢にしても安全な着火を可能にし、同時に操作ボタンにガスライター本体を洋服のポケットに保持するためのクリップとしての機能を持たせたガスライターを提供するために考えられたものである。
【課題を解決するための手段】
【０００８】
この発明のガスライターは、液化燃料ガスを貯蔵する燃料タンクと、上記燃料ガスを噴出させる噴出ノズルと、上記ノズルの開閉を制御するバルブと、上記燃料ガスに着火する圧電装置と、上記バルブの開閉制御および前記圧電装置を作動させて火炎を発生させる操作ボタンとを備えるライターにおいて、上記操作ボタンの頂部からライター本体に沿って長手方向に延在するクリップを形成し、上記クリップにより操作可能としたものである。
【発明の効果】
【０００９】
この発明の操作ボタンを用いたガスライターは、ライター本体を任意の姿勢にしても安全に着火操作を行うことができ、点火棒の代替品としても使うことができる。
【００１０】
また、ライター本体とクリップとにより洋服のポケットの縁を挟んでライターを保持することができる。
【００１１】
構造が簡便で、操作ボタンが露出しているガスライターであれば容易に本発明を適用することが可能である。
【発明を実施するための最良の形態】
【００１２】
図１（ａ）は、この発明のクリップを一体成型または接着などにより一体化した操作ボタンをガスライター本体に取り付けた状態を示す斜視図であり、図１（ｂ）は、この発明のクリップを一体成型した操作ボタンを示す斜視図である。
【００１３】
この発明によるガスライターは、内部に液化燃料ガスが貯蔵されている合成樹脂製の断面が小判形の燃料タンク４と、この燃料タンク４の開口部を封じる中間ケース５と、火口61および空気孔64を穿孔したフック部63を有する馬蹄形の金属キャップ６と、クリップ３を一体成型した操作ボタン２と、火炎の高さを調整する調整リング62とを備えている。
【００１４】
操作ボタン２およびクリップ３の材料には、ＡＢＳやポリアセタールなどの合成樹脂が適している。
【００１５】
金属キャップ６は、中間ケース５の頂部に嵌め込まれ、フック部63によって中間ケース５に固定される。さらに、操作ボタン２は、上下に摺動するように中間ケース５に挿し込まれている。すなわち、中間ケース５は、操作ボタン２を操作する際に摺動ガイド51（図２参照）となる。
【００１６】
操作ボタン２は、ライターを垂直方向に持って着火操作を行う際に、親指で押下げる頂面21と、中間ケース５の中で摺動する摺動部22とからなり、摺動部22の断面は中間ケース５の中に形成された摺動ガイド51と同じ断面形状である。
【００１７】
この他に、図示しないガスを噴出させる噴出ノズル、このノズルの開閉を制御するバルブ、高圧パルス電圧を発生する圧電装置などを備え、操作ボタン２を押し下げることにより、バルブを開いてガスを噴出させるとともに圧電装置を作動させて発生した高圧電圧パルスによりガスに点火するように構成されている。
【００１８】
操作ボタン２には、クリップ３が一体に成型されており、クリップ３は、幅の狭い上部分31と、平坦で幅の広い中間部分32と、親指が滑らないように厚みを増した膨出部分33とにより構成されており、幅の狭い上部分31の幅は、操作ボタン２の頂面21の大きさによって制限され、上部分31の長さは、幅の広い中間部分32で金属キャップ６の空気孔64を塞がない程度の長さに設定されている。幅の広い中間部分32および膨出部分33の大きさは、親指の太さに合わせて操作し易いように構成すればよいのである。
【００１９】
なお、平面部32の下方に形成された膨出部分33の代わりに、表面に複数の凸条または溝条を形成して滑り止めとしてもよい。
【００２０】
操作ボタン２を中間ケース５に嵌め込むと、クリップ３はライター本体１に沿って長手方向に延在した状態に位置する。このとき、クリップ３をガスライター本体１から隙間をあけた状態で支持するために、上部分31の先端を逆Ｌ字状に成形されている。ガスライター本体１とクリップ３との間に隙間34（図２（ｂ）参照）が生じるので、クリップ３により洋服のポケットや鞄にライターを保持させることができる。
【００２１】
次に、このようにして組み立てられたライターの着火操作を、図２に基づいて説明する。
【００２２】
親指をクリップ３に掛けた状態でライター本体１を手に持つ。図２（ａ）の正面図および（ｂ）の側面図に示す停止状態から、親指で、内蔵された圧電装置のハンマースプリングの弾力に抗して、クリップ３を引き下げると、図２（ｃ）に示すように、クリップ３と連動して操作ボタン２も中間ケース５の中の摺動ガイド51に沿って降下するので、内部の圧電装置が作動して噴出するガスに着火することができる。
【００２３】
着火の後、クリップ３から親指を放すと、戻しスプリングの弾力により操作ボタン２は押し戻され、操作ボタン２とクリップ３は最初の位置に戻り、一連の着火操作は終了する。
【００２４】
このように、クリップ３を利用して着火すると、着火後に親指が火炎から離れているので、ライター本体１を横向きにしたり、斜め下向きにしても火口部61とクリップ３上の親指が離れることになり、焼香台の火種（炭）に点火するなどの各種用途に使用することができる。
【００２５】
また、従来のガスライターと同様に、親指を操作ボタン２の頂面21に掛けた状態でライター本体１を手に持つ。図２（ａ）および（ｂ）に示す停止状態から、親指で、内蔵された圧電装置のハンマースプリングの弾力に抗して、操作ボタン２の頂面21を押し下げると、図３（ｃ）に示すように、操作ボタン２が中間ケース５の中のスライドガイド51に沿って降下し、内部の圧電装置が作動して噴出するガスに着火することができる。
【図面の簡単な説明】
【００２６】
【図１】この発明のクリップを一体成型した操作ボタンをガスライターに取り付けた状態を示す斜視図（ａ）、クリップを一体成型した操作ボタンを示す斜視図（ｂ）、
【図２】この発明のクリップを一体成型した操作ボタンの動作を説明する図であって、操作前のガスライター本体の正面図（ａ）、操作前のガスライター本体の右面図（ｂ）、操作後のガスライター本体の正面図（ｃ）である。
【符号の説明】
【００２７】
１  ガスライター本体
２  操作ボタン
３  クリップ
４  液化燃料タンク
５  中間ケース
６  金属キャップ
21  頂部
22  摺動部
31  上部分
32  中間部分
33  膨出部分
34  隙間
51  摺動ガイド
61  火口部
62  調整リング
63  フック部
64  空気孔
【図１】
2006153401.tif 000003
【図２】
2006153401.tif 000004
【手続補正書】
【提出日】平成16年12月2日(2004.12.2)
【手続補正１】
【補正対象書類名】明細書
【補正対象項目名】００２５
【補正方法】変更
【補正の内容】
【００２５】
また、従来のガスライターと同様に、親指を操作ボタン２の頂面21に掛けた状態でライター本体１を手に持つ。図２（ａ）および（ｂ）に示す停止状態から、親指で、内蔵された圧電装置のハンマースプリングの弾力に抗して、操作ボタン２の頂面21を押し下げると、図２（ｃ）に示すように、操作ボタン２が中間ケース５の中のスライドガイド51に沿って降下し、内部の圧電装置が作動して噴出するガスに着火することができる。